(57)【要約】【課題】  遊技球の飛距離に変動を与えるような不都合の発生を回避しつつ効果的な大当たり予告を行うことができるように構成した遊技機を提供する。【解決手段】  パチンコ機１は、遊技盤７と、遊技盤７に配置された遊技表示装置２２とを備え、遊技表示装置２２に表示される図柄が特定状態になったときに大当たり予告を行うように構成されている。このパチンコ機１は、遊技盤７に向けて打ち出される遊技球の飛距離を変化させるための発射ハンドル９と、発射ハンドル９に対して送風する送風装置２３と、大当たり予告時に送風装置２３を作動させる送風制御手段２８とを備えている。これにより、大当たり予告時に、発射ハンドル８を握っている遊技者の手に直接風を当てて、遊技者に大当たりの期待感を持たせる演出を効果的に実行することができる。【選択図】  図１
2005160827.tif 000002
【特許請求の範囲】
【請求項１】
遊技盤と、該遊技盤に配置された図柄変動表示装置とを備え、該図柄変動表示装置に表示される図柄が特定状態になったときに大当たり予告を行ってなる遊技機において、
前記遊技盤に向けて打ち出される遊技球の飛距離を変化させるための発射ハンドルと、
前記発射ハンドルに対して送風する送風手段と、
前記大当たり予告時に前記送風手段を作動させる送風制御手段とを備えることを特徴とする遊技機。
【請求項２】
前記送風制御手段により前記送風手段を作動制御しない状況下にあって前記送風手段を任意に作動させ得る手動操作部材を更に備えることを特徴とする請求項１に記載の遊技機。
【発明の詳細な説明】
【技術分野】
【０００１】
本発明は、パチンコ機等の遊技機に関し、特に遊技時における演出を改善した遊技機に関する。
【０００２】
一般に、遊技機、例えばパチンコ機として、上受け皿に滞留している遊技球が、発射ハンドルの操作に応じて遊技盤上に打ち出された後、遊技盤面上の障害釘や風車等に導かれつつ盤面を流下して、各種入賞口に入球し、或いは入球せずに遊技盤下部のアウト口に流入するように構成されたものが知られている（例えば、特許文献１参照）。当該パチンコ機では、一般入賞口に入球した際にそれに対応した個数の遊技球が払い出され、またスタートチャッカーに入球した際にはこれに基づいて大当たり抽選が行われると共に所定数の遊技球が払い出され、当該抽選の結果に応じて、遊技盤の中央部分に設けられた液晶等からなる遊技表示装置（図柄変動表示装置）の画面上で所定の演出表示が行われる。大当たりの発生時には、アタッカーと呼ばれる大入賞口が開放し、入球に対応して多量の遊技球が払い出される状態となる。
【０００３】
ところで、上述のようなパチンコ機において、例えば、遊技表示装置に表示される図柄が特定の状態になった際、遊技者が握っている発射ハンドルを振動させて大当たり予告を行うように構成されたものが知られている（例えば、特許文献２参照）。
【０００４】
【特許文献１】特開２００３−２３６２１０号公報（図２参照）
【特許文献２】特開２００３−３８７３９号公報（図１及び図２参照）
【発明の開示】
【発明が解決しようとする課題】
【０００５】
ところで、上述の特許文献２に記載のパチンコ機では、電磁コイルと永久磁石とを接近状態で対向させた構造の振動装置がパチンコ機の発射ハンドル内部に配置されており、大当たり予告時に、電磁コイルに低周波電流を供給して発射ハンドルそのものを振動させることで、遊技者に対する演出を行うように構成されている。
【０００６】
しかし、このように発射ハンドルを振動させて大当たり予告を遊技者に認識させようとする構造では、或る回動角に保持して握った状態の発射ハンドルそのものが振動するため、当該発射ハンドルの回動角にブレが生じ、遊技球の飛距離（ストローク）が変動して、遊技球の打ち出しに支障が出る虞がある。
【０００７】
そこで、本発明は、大当たり予告を遊技者に知らしめる手段に適切な手段を採用することで、遊技球の飛距離に変動を与えるような不都合の発生を回避しつつ効果的な演出を施すことができるように構成し、もって上述した課題を解決した遊技機を提供することを目的とするものである。
【課題を解決するための手段】
【０００８】
請求項１に記載の発明は、遊技盤と、該遊技盤に配置された図柄変動表示装置とを備え、該図柄変動表示装置に表示される図柄が特定状態になったときに大当たり予告を行ってなる遊技機において、
前記遊技盤に向けて打ち出される遊技球の飛距離を変化させるための発射ハンドルと、
前記発射ハンドルに対して送風する送風手段と、
前記大当たり予告時に前記送風手段を作動させる送風制御手段とを備えることを特徴とする。
【０００９】
なお、本発明における「大当たり予告」とは、大当たり抽選によって実際に大当たりが確定した場合の予告は勿論、大当たり抽選で当選はしないが図柄が特定状態になったときに発生させる大当たり予告をも含む概念である。
【００１０】
請求項２に記載の発明は、請求項１に記載の遊技機の発明において、前記送風制御手段により前記送風手段を作動制御しない状況下にあって前記送風手段を任意に作動させ得る手動操作部材を更に備えることを特徴とする。
【発明の効果】
【００１１】
請求項１に記載の発明によれば、大当たり予告時に発射ハンドルへの送風を行い、該発射ハンドルを握っている遊技者の手に直接風を当てることによって、この遊技者に大当たりの期待感を持たせるような演出を効果的に奏することができる。しかも、送風による当該大当たり予告によれば、例えば発射ハンドルを直接振動させるような大当たり予告に比して、遊技球の飛距離が振動で乱れるような不具合の発生を確実に回避しつつ予告することができる。
【００１２】
請求項２に記載の発明によれば、大当たり予告時に送風する送風手段を利用し、遊技者の好みに応じて当該送風手段を作動させて手に送風できるので、遊技中の緊張感を緩和して遊技者の気持ちを和らげる等の効果を得ることができる。
【発明を実施するための最良の形態】
【００１３】
以下、本発明の遊技機の実施形態として、遊技場等に設置されるパチンコ機を図１乃至図３に沿って説明する。図１は本パチンコ機１の外部構造を示す正面図、図２はパチンコ機１の一部を拡大して示す斜視図、図３は本パチンコ機１の制御系を示すブロック図である。本パチンコ機１は、後述の発射ハンドル９の操作による発射装置（図示せず）の作動で遊技球を遊技盤７上に打ち出しつつ遊技を行うもので、所謂確率変動等の大当たりが発生した状態でアタッカー（大入賞口）２５に入球した遊技球に対応する数の遊技球を払い出すように構成されている。
【００１４】
上記確率変動（確変当たり）とは、後述の大当たり判定手段３２による判定（抽選）結果にて確変モードの大当たりが当選したとき、少なくとも当該確変モードによる遊技状態において次なる大当たりを引くまでの間、遊技者に有利な付加価値を付与し得る特殊状態を意味する。これに対し、当該特殊状態にならない大当たりとして「通常当たり」がある。
【００１５】
本パチンコ機１は、筐体２と、筐体２に開閉可能に取り付けられた前扉３とを有しており、前扉３の前面には、ガラス６を有する金枠５が開閉可能に取付けられており、ガラス６の後側には遊技盤７が配置されている。
【００１６】
遊技盤７の図１における左方には、発射された遊技球を遊技領域へ案内するガイドレール１０が設けられており、中央部分には、ＬＣＤ（Liquid Crystal Display）等からなり大当たり時の演出等のゲーム態様を表示する遊技表示装置（図柄変動表示装置）２２が設けられている。この遊技表示装置２２の下方には、スタートチャッカー２４と、大当たり発生時において所定回数の開閉動作を所定数入球する毎（又は所定時間経過する毎）に繰り返すアタッカー２５とが設けられている。そして遊技盤７の上部には、演出用照明装置２７が設けられている。また、前扉３における金枠５の左右及び上部には、演出用照明装置２６が分散して設けられている。
【００１７】
図１及び図２に示すように、前扉３における中央部分には前面パネル１１が設けられており、前面パネル１１の中央部分には上受け皿１３が設けられている。この上受け皿１３の左上部には、賞球及び貸球を含む遊技球が供給される球供給口１２が形成されている。上受け皿１３の左上部壁面には、球貸ボタン１４ａ及びプリベートカード返却ボタン１４ｂが設けられている。
【００１８】
上受け皿１３の下方には、下受け皿１７と、下受け皿１７の内方において当該下受け皿１７内に遊技球を排出する払い出し口１５とが設けられている。この払い出し口１５は、上受け皿１３でオーバーフローした遊技球（賞球）、上受け皿１３から発射装置（図示せず）によって発射された後に遊技盤７に到達できずに戻る遊技球（ファール球）、或いは、上受け皿１３に設けられた球抜きレバー１６の操作で上受け皿１３から送り出される遊技球を下受け皿１７内に排出する。
【００１９】
そして、上受け皿１３の右側部には、本発明の特徴である送風装置（送風手段）２３が設けられている。この送風装置２３は、周知の電動モータ（図示せず）の駆動による空気流を図１及び図２中の下方に向けて送風するように構成されている。上受け皿１３における送風装置２３の下側には、列状の複数のスリットからなる通気口３３が形成されている。この通気口３３は、同図に示すように、後述する発射ハンドル９の上方側に対向するように位置しており、従って、送風装置２３の作動で生じる空気流は通気口３３を通って発射ハンドル９に向かって吹き出すことになる。
【００２０】
また、前扉３における左側の放音部１８の上方には送風操作ボタン（手動操作部材）３４が配設されている。この送風操作ボタン３４は、上記送風制御手段２８によって送風装置２３が作動制御されていない状況下で押圧操作されたとき、送風制御手段２８とは独立して送風装置２３を作動させるためのものである。
【００２１】
下受け皿１７の前部壁面には、下受け皿１７内に滞留する遊技球を排出するための開放レバー１９が設けられている。また、上受け皿１３の左右には夫々、内部にスピーカを有する放音部１８が配設されている。前扉３における右側下方には、遊技球を遊技盤７に向けて打ち出す発射装置（図示せず）の作動状態を調節して遊技盤７への遊技球の飛距離（ストローク）を変化させるための発射ハンドル９が設けられている。なお、図１中の符号２１は、プリベートカードを挿入するための挿入口である。
【００２２】
ついで、図３を参照して本実施形態の制御系について説明する。すなわち、本制御系は、主基板３０と、この主基板３０に接続されたサブ制御基板３１とを有しており、該サブ制御基板３１には、送風装置２３、放音部１８、演出用照明装置２６，２７、遊技表示装置２２、及び送風操作ボタン３４が接続されている。
【００２３】
送風装置２３は、後述する送風制御手段２８の制御により作動するものであり、大当たり予告時に作動制御されて発射ハンドル９への送風を実行する。なお、本実施形態における「大当たり予告」とは、大当たり判定手段３２による大当たり抽選（判定）によって実際に大当たりが確定した場合の予告は勿論、大当たり抽選で当選はしないが図柄が特定状態になったときに遊技表示制御手段２５で発生させる大当たり予告をも含む概念である。
【００２４】
また、放音部１８、演出用照明装置２６，２７及び遊技表示装置２２は、サブ制御基板３１による制御に応答して、通常時の演出や大当たり時における特別な演出を、音や光によって行う。
【００２５】
送風操作ボタン３４は、パチンコ機１に対面して遊技する遊技者が操作し易いように上受け皿１３の左中央部に配置されるもので、送風制御手段２８によって送風装置２３が作動制御されていない状況下にあって該送風装置２３を任意に作動させ得る手動操作部材を構成している。
【００２６】
そして、上記主基板３０は、本パチンコ機１の動作全体を管理するものであり、当該パチンコ機１の動作全体を管理するシステムプログラム及び遊技用の実行プログラムが予め記憶された半導体メモリ等からなる記憶部（図示せず）と、これらのプログラムを実行するマイクロプロセッサ（ＭＰＵ）とを備えている。
【００２７】
上記サブ制御基板３１は、大当たり判定手段３２、遊技表示制御手段２５及び送風制御手段２８を備えており、主基板３０中の上記マイクロプロセッサから供給される演出制御信号に従って、実装された電気回路からなる適宜の手段が演出用照明装置２６，２７、遊技表示装置２２や放音部１８を適時駆動して、遊技者の視覚及び聴覚に訴える演出表示を行うように機能する。
【００２８】
大当たり判定手段３２は、内部に大当たりカウンタ等を有しており、スタートチャッカー２４（図１参照）への入球に伴う抽選の結果に基づいて、少なくとも大当たり当選状態と外れ状態とのいずれであるかを判定する。
【００２９】
遊技表示制御手段２５は、大当たり判定手段３２による抽選の結果を逐次チェックしつつ、スタートチャッカー２４への入球に伴い、表示させるべき図柄を適時設定して遊技表示装置２２に図柄表示するように機能する。そして遊技表示制御手段２５は、大当たり判定手段３２による抽選の結果が大当たり当選であった場合に、遊技表示装置２２の表示図柄が特定の停止状態となるように制御すると共に、確定した大当たり予告として送風装置２３を作動させる旨の指令を送風制御手段２８に送信する。また遊技表示制御手段２５は、大当たり判定手段３２による大当たり抽選で当選しない場合においても、選択的に、上記大当たり確定予告時と同様に送風装置２３を作動させるように送風制御手段２８に指令を送ることがある。
【００３０】
送風制御手段２８は、遊技表示制御手段２５から上記指令を受けたとき、送風装置２３に作動信号を送って電動モータ（図示せず）を作動させ、発射ハンドル９に対する送風を実行する。これにより、発射ハンドル９を握っている遊技者の手に所定のタイミングで所定時間だけ風が当たることになり、遊技者は、これによって大当たりが確定したか、又は確定しているかもしれない旨を認識し、遊技表示装置２２上に繰り広げられる演出表示を興味深く見入ることとなる。
【００３１】
以上のように本実施形態によれば、発射ハンドル９を所要角度に回動させて遊技球を打ち出しながら遊技している際、遊技表示制御手段２５が大当たり判定手段３２による大当たり当選結果を受けて、或いは遊技表示制御手段２５が独自に、表示図柄が特定の停止状態となるように遊技表示装置２２を制御すると共に、大当たり予告として送風装置２３を作動させる旨の指令を送風制御手段２８に送る。
【００３２】
すると、遊技表示装置２２は、表示図柄が特定の停止状態となるように機能し、また送風制御手段２８は、上記指令に応答して、送風装置２３に駆動信号を供給し、該送風装置２３を作動させて発射ハンドル９に対する送風を実行する。これにより、発射ハンドル９を握っている遊技者の手に直接風が当たって、遊技者に大当たりの期待感を持たせる演出が効果的に実施される。しかも、送風による当該大当たり予告によれば、例えば発射ハンドル９を直接振動させるような大当たり予告に比して、遊技球の飛距離が振動で乱れるような不具合の発生を確実に回避しつつ予告することができる。
【００３３】
また、送風制御手段２８による送風装置２３の作動制御が無い場合、遊技者が送風操作ボタン３４を操作すると、送風装置２３が作動して遊技者の手に送風する。これにより、遊技者の遊技中の緊張感が緩和されて、気持ちが和らぐような効果を得ることができる。
【００３４】
以上、本発明をその好適な実施の形態に基づいて説明したが、本発明の遊技機は、上記実施形態の構成にのみ限定されるものではなく、上記実施形態の構成から種々の修正及び変更を施した遊技機も、本発明の範囲に含まれる。
【産業上の利用可能性】
【００３５】
本発明に係る遊技機は、大当たり予告を行う遊技機に用いて有用であり、特に大当たり予告の手法を改善する必要のある遊技機に適している。
【図面の簡単な説明】
【００３６】
【図１】本発明に係る実施形態におけるパチンコ機の外部構造を示す正面図である。
【図２】本実施形態におけるパチンコ機の一部を拡大して示す斜視図である。
【図３】本実施形態におけるパチンコ機の制御系を示すブロック図である。
【符号の説明】
【００３７】
１…パチンコ機（遊技機）
７…遊技盤
９…発射ハンドル
２２…遊技表示装置（図柄変動表示装置）
２３…送風装置（送風手段）
２５…遊技表示制御手段
２８…送風制御手段
３２…大当たり判定手段
３４…送風操作ボタン（手動操作部材）
【図１】
2005160827.tif 000003
【図２】
2005160827.tif 000004
【図３】
2005160827.tif 000005